(57)【要約】【課題】着用者の胴回りに沿って使い捨ておむつの胴回り域を配置でき、かつ胴回り域全体の位置ずれを抑制することができる使い捨ておむつを提供する。【解決手段】使い捨ておむつの後胴回り域には、幅方向に伸縮する第１伸縮部８１と、第１伸縮部よりも股下域側に配置され、幅方向に伸縮する第２伸縮部８２と、が設けられている。前胴回り域には、幅方向に伸縮する第３伸縮部８３が設けられている。第１伸縮部と第２伸縮部の間の領域の幅方向における伸縮応力 は、第１伸縮部の幅方向における伸縮応力よりも低く、かつ第２伸縮部の幅方向における伸縮応力よりも低い。第３伸縮部は、前胴回り域の幅方向外側端部から前胴回り域の幅方向中央に向かって股下域側に突出する曲線形状である。使い捨ておむつが着用者に装着された装着状態において、第１伸縮部及び第２伸縮部に連なって配置される。【選択図】図１
2015202246.tif 000002
【特許請求の範囲】
【請求項１】
前胴回り域と、後胴回り域と、前記前胴回り域と前記後胴回り域との間に位置する股下域とを有し、
前記前胴回り域から前記後胴回り域に向かう長手方向と、前記長手方向と直交する幅方向と、を備え、
前記股下域を跨ぎ前記前胴回り域及び前記後胴回り域に延びる吸収性コアと、
着用者の腰が挿入される胴回り開口部と、
前記着用者の脚が挿入される脚回り開口部と、を備える使い捨ておむつであって、
前記後胴回り域には、少なくとも前記幅方向に伸縮する第１伸縮部と、前記第１伸縮部よりも前記股下域側に配置され、かつ少なくとも前記幅方向に伸縮する第２伸縮部と、が設けられており、
前記前胴回り域には、少なくとも前記幅方向に伸縮する第３伸縮部が設けられており、
前記第１伸縮部と前記第２伸縮部は、前記後胴回り域の幅方向中央において間隔を空けて配置されており、
前記第１伸縮部と前記第２伸縮部の間の領域の幅方向における伸縮応力は、前記第１伸縮部の幅方向における伸縮応力よりも低く、かつ前記第２伸縮部の幅方向における伸縮応力よりも低く、
前記第３伸縮部は、前記前胴回り域の幅方向外側端部から前記前胴回り域の幅方向中央に向かって前記股下域側に突出する曲線形状であり、使い捨ておむつが着用者に装着された装着状態において、前記第１伸縮部及び前記第２伸縮部に連なって配置される、使い捨ておむつ。
【請求項２】
前記第３伸縮部は、前記着用者の中腹部と下腹部の境界に対応する位置である、請求項１に記載の使い捨ておむつ。
【請求項３】
前記第３伸縮部は、前記吸収性コアに重なるように配置されており、
前記吸収性コアが配置された吸収性コア配置領域には、前記吸収性コアが厚み方向に曲がることができるように形成された曲部が形成されており、
前記曲部は、前記第３伸縮部に沿って配置されている、請求項１又は請求項２に記載の使い捨ておむつ。
【請求項４】
前記曲部は、前記吸収性コアに形成された切欠き、前記吸収性コアを厚み方向において圧搾した圧搾部、前記吸収性コアにおいて周囲の前記吸収性コアと目付が異なる目付境界部、前記吸収性コアにおいて周囲の前記吸収性コアと厚みが異なる厚み境界部、前記吸収性コアにおいて周囲の前記吸収性コアと密度が異なる密度境界部、及び前記幅方向に伸縮する伸縮部のうち、少なくともいずれかを含んで形成されている、請求項３に記載の使い捨ておむつ。
【請求項５】
前記脚回り開口部の伸縮応力は、前記第１伸縮部の伸縮応力よりも低く、かつ前記第２伸縮部の伸縮応力よりも低い、請求項１から請求項４のいずれかに記載の使い捨ておむつ。
【請求項６】
前記第１伸縮部は、前記後胴回り域の幅方向外側端部から前記後胴回り域の幅方向中央に向かって前記長手方向外側に突出する曲線形状である、請求項１から請求項５のいずれかに記載の使い捨ておむつ。
【請求項７】
前記第１伸縮部と前記第２伸縮部の間の領域の長手方向における伸長率は、前記第１伸縮部の長手方向における伸長率よりも大きく、かつ第２伸縮部の長手方向における伸長率よりも大きい、請求項１から請求項６のいずれかに記載の使い捨ておむつ。
【発明の詳細な説明】
【技術分野】
【０００１】
本発明は、使い捨ておむつに関する。
【背景技術】
【０００２】
特許文献１には、使用状態においてウエスト開口部及びレッグ開口部が形成され、当該ウエスト開口部縁からレッグ開口部縁に至る範囲の胴回り域に複数の伸縮部材が設けられた使い捨ておむつが開示されている。複数の伸縮部材は、使い捨ておむつの胴回り域において周方向に沿い、かつ縦方向に間隔を空けて配置されている。
【０００３】
この使い捨ておむつの伸縮部材は、着用者の胴回りを覆う胴回り域の縦方向全域に亘って、縦方向に７ｍｍ以下の間隔を空けて配置されている（特許文献１の図７及び図８参照）。よって、特許文献１の使い捨ておむつは、胴回り域全体が略均一に収縮される。
【先行技術文献】
【特許文献】
【０００４】
【特許文献１】特開２００２−１７２１３４号公報
【発明の概要】
【発明が解決しようとする課題】
【０００５】
しかし、上述の使い捨ておむつには、以下の問題点があった。
特許文献１の使い捨ておむつの胴回り域には、複数の伸縮部材が密に配置されている。よって、胴回り域の剛性が高くなり易い。使い捨ておむつの胴回り域の剛性が高くなり過ぎると、着用者の身体の丸みに沿って使い捨ておむつを配置し難くなる。また、例えば、着用者の脚の曲げ伸ばし等の着用者の動きによっては、着用者の身体が縦方向に伸び縮みする。このとき、使い捨ておむつの胴回り域の剛性が高過ぎると、身体の伸び縮みに追従して胴回り域全体が移動し、胴回り域全体の位置ずれが生じることがある。
【０００６】
そこで、本発明は、上述の課題に鑑みてなされたものであり、着用者の胴回りに沿って使い捨ておむつの胴回り域を配置でき、かつ当該胴回り域全体の位置ずれを抑制することができる使い捨ておむつを提供することを目的とする。
【課題を解決するための手段】
【０００７】
本開示に係る使い捨ておむつは、前胴回り域（前胴回り域Ｓ１）と、後胴回り域（後胴回り域Ｓ２）と、前記前胴回り域と前記後胴回り域との間に位置する股下域（股下域Ｓ３）とを有し、前記前胴回り域から前記後胴回り域に向かう長手方向（長手方向Ｌ）と、前記長手方向と直交する幅方向（幅方向Ｗ）と、を備え、前記股下域を跨ぎ前記前胴回り域及び前記後胴回り域に延びる吸収性コアと、着用者の腰が挿入される胴回り開口部と、前記着用者の脚が挿入される脚回り開口部と、を備える使い捨ておむつであって、前記後胴回り域には、少なくとも前記幅方向に伸縮する第１伸縮部（第１伸縮部８１）と、前記第１伸縮部よりも前記股下域側に配置され、かつ少なくとも前記幅方向に伸縮する第２伸縮部（第２伸縮部８２）と、が設けられており、前記前胴回り域には、少なくとも前記幅方向に伸縮する第３伸縮部（第３伸縮部８３）が設けられており、前記第１伸縮部と前記第２伸縮部は、前記後胴回り域の幅方向中央において間隔を空けて配置されており、前記第１伸縮部と前記第２伸縮部の間の領域の幅方向における伸縮応力 は、前記第１伸縮部の幅方向における伸縮応力よりも低く、かつ前記第２伸縮部の幅方向における伸縮応力よりも低く、前記第３伸縮部は、前記前胴回り域の幅方向外側端部から前記前胴回り域の幅方向中央に向かって前記股下域側に突出する曲線形状であり、使い捨ておむつが着用者に装着された装着状態において、 前記第１伸縮部及び前記第２伸縮部に連なって配置されることを要旨とする。
【発明の効果】
【０００８】
着用者の胴回りに沿って使い捨ておむつの胴回り域を配置でき、かつ当該胴回り域全体の位置ずれを抑制することができる使い捨ておむつを提供することができる。
【図面の簡単な説明】
【０００９】
【図１】本実施形態に係る使い捨ておむつの展開平面図である。
【図２】図１に示したＡ-Ａ線に沿った使い捨ておむつの断面図である。
【図３】本実施形態に係る使い捨ておむつを装着した状態を示す図である。
【図４】本実施形態に係る使い捨ておむつを装着した状態を示す図である。
【図５】変形例に係る使い捨ておむつの展開平面図である。
【発明を実施するための形態】
【００１０】
次に、本発明に係る使い捨ておむつ１０の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１１】
したがって、具体的な寸法などは以下の説明を参酌して判断すべきである。また、図面相互間においても互いの寸法の関係や比率が異なる部分が含まれ得る。
【００１２】
（１）使い捨ておむつの全体構成
図１は、本実施形態に係る使い捨ておむつ１０を示す図である。使い捨ておむつ１０は、パンツ型の使い捨ておむつである。図１に示す展開平面図は、使い捨ておむつ１０を構成する部材（外装シート等）の皺が形成されない状態まで伸縮部等を伸長させた状態の図である。図２は、図１に示したＡ-Ａ線に沿った使い捨ておむつ１０の断面図である。
【００１３】
本実施形態に係る使い捨ておむつ１０は、着用者の腹側に配置される前胴回り域Ｓ１と、着用者の背側に配置される後胴回り域Ｓ２と、着用者の股下に対応し、前胴回り域Ｓ１と後胴回り域Ｓ２との間に位置する股下域Ｓ３と、を有する。
【００１４】
使い捨ておむつ１０は、着用者の身体前側と身体後側とに延びる長手方向Ｌと、長手方向Ｌに直交する幅方向Ｗと、製品厚み方向Ｔと、を有する。製品厚み方向Ｔは、着用者に向かう内方向（着用者の肌当接面側）Ｔ１と、内方向と反対側（着用者から離れる側）に向かう外方向（着用者の非肌当接面側）Ｔ２とを有する。
【００１５】
使い捨ておむつ１０は、吸収性本体１Ａと、外装体１Ｂと、を備える。吸収性本体１Ａは、少なくとも股下域Ｓ３に配置され、かつ前胴回り域Ｓ１から後胴回り域Ｓ２に跨がって配置される。吸収性本体１Ａは、液透過性の表面シート２と、液不透過性の裏面シート３と、表面シート２と裏面シート３との間に配置される吸収体４と、を少なくとも有する。
【００１６】
表面シート２は、吸収体４よりも内方向側（着用者側）に位置する。表面シート２には、不織布や開孔プラスチックフィルムなどの液透過性のシートなどが使用される。 
【００１７】
裏面シート３は、吸収体４よりも外方向側であって、外装体１Ｂよりも内方向側に配置される。裏面シート３には、液不透過性のシートなどが使用される。 
【００１８】
吸収体４は、表面シート２及び裏面シート３の間に設けられ、着用者からの排泄物を吸収する。吸収体４は、粉砕パルプや高吸収性ポリマー粒子等の吸収性材料からなる吸収性コアと、吸収性コアを包むコアラップと、を有する。なお、吸収体は、吸収性コアを有していなくてもよい。
【００１９】
外装体１Ｂは、吸収性本体１Ａよりも外方向Ｔ２に配置されている。外装体１Ｂは、前胴回り域Ｓ１に配置される前外装体１ＢＦと、後胴回り域Ｓ２に配置される後外装体１ＢＲと、を有する。前外装体１ＢＦと後外装体１ＢＲは、長手方向において互いに離間している。なお、前外装体１ＢＦと後外装体１ＢＲとが一体化されていてもよい。
【００２０】
図１に示す状態から、長手方向Ｌにおける中央を起点に使い捨ておむつの肌当接面を内側にして前胴回り域Ｓ１の前側端部と後胴回り域Ｓ２の後側端部とが重なるように折り畳む。そして、前外装体１ＢＦの一方の幅方向外側に位置する前胴回り縁部５と、後外装体１ＢＲの一方の幅方向外側に位置する後胴回り縁部６とを接合し、かつ前外装体１ＢＦの他方の幅方向外側に位置する前胴回り縁部５’と、後外装体１ＢＲの幅方向外側に位置する後胴回り縁部６’とを接合することにより、図３及び図４に示すパンツ型の使い捨ておむつを形成できる。使い捨ておむつ１０には、前外装体１ＢＦと後外装体１ＢＲが接合された接合部７が形成される（図３及び図４参照）。股下域Ｓ３は、接合部７よりも長手方向内側の域である。
【００２１】
使い捨ておむつ１０には、着用者の腰回りが挿入される腰回り開口部２１と、着用者の脚がそれぞれ挿入される一対の脚回り開口部２２と、が形成される（図３及び図４参照）。腰回り開口部２１は、外装体１Ｂの前側端部及び後側端部によって囲まれている。
【００２２】
外装体１Ｂは、着用者の肌当接面側に位置する外装表面シート７１と、非肌当接面側に位置する外装裏面シート７２と、外装表面シート７１と外装裏面シート７２の間に配置された伸縮部と、を少なくとも有する。伸縮部は、第１伸縮部８１と、第２伸縮部８２と、第３伸縮部８３と、を有する。
【００２３】
第１伸縮部８１及び第２伸縮部８２は、後胴回り域Ｓ２に配置されている。第３伸縮部８３は、前胴回り域Ｓ１に配置されている。第１伸縮部８１、第２伸縮部８２及び第３伸縮部８３は、少なくとも幅方向に伸縮可能に構成されている。なお、第１伸縮部８１、第２伸縮部８２及び第３伸縮部８３は、少なくとも幅方向に伸縮可能に構成されていればよく、幅方向及び長手方向に伸縮可能に構成されていてもよい。
【００２４】
第１伸縮部８１は、ポリウレタン繊維や天然ゴムからなる糸状・帯状の弾性部材、ウレタンやスチレンのようなエラストマー樹脂を溶融しフィルム状とした伸縮性のフィルムや、伸縮性繊維からなる伸縮性不織布、伸縮性不織布や伸縮性フィルムに部分的にギア加工等により切断又は脆弱化された非伸縮性シートを張り合わせた複合シート等を用いることができる。好ましくは、5mm間隔以下に糸ゴムを配置した状態や伸縮性のフィルム・不織布シートを用いることが好ましい。第１伸縮部８１を構成するシート等は、幅方向に伸長された状態で、外装表面シート７１と外装裏面シート７２の間に固定されている。第１伸縮部は、後胴回り域の幅方向外側端部から後胴回り域の幅方向中央に向かって長手方向外側に突出する曲線形状である。第１伸縮部の幅方向中央部は、第１伸縮部の幅方向外側端部よりも長手方向外側に位置する。
【００２５】
第２伸縮部８２は、第１伸縮部と同様の材料を用いることができる。第２伸縮部８２を構成するシート等は、幅方向に伸長された状態で、外装表面シート７１と外装裏面シート７２の間に固定されている。第２伸縮部は、幅方向に沿って配置されている。第１伸縮部と第２伸縮部の距離は、幅方向において変化している。後外装体１ＢＲの幅方向外側端部では、第１伸縮部と第２伸縮部が幅方向において隣接している。後外装体１ＢＲの幅方向中央では、第１伸縮部と第２伸縮部は、距離Ｄ１を空けて配置されている。距離Ｄ１は、１５ｍｍ以上であることが望ましい。例えば、第１伸縮部と第２伸縮部の距離Ｄ１が１５ｍｍ未満の場合には、着用者の動き、例えば脚を前後に動かす・曲げ伸ばしする等により発生する臀部周りの皮膚の縦伸びを干渉するには不十分である。
【００２６】
なお、第１伸縮部８１と第２伸縮部８２は、少なくとも後胴回り域Ｓ２の幅方向中央において間隔を空けて配置されていればよく、一部の領域（例えば、後胴回り域の幅方向外側端部）において重なっていてもよい。
【００２７】
第３伸縮部８３は、第１伸縮部及び第２伸縮部と同様の材料を用いることができる。第３伸縮部８３を構成するシート等は、幅方向に伸長された状態で、外装表面シート７１と外装裏面シート７２の間に固定されている。第３伸縮部は、前胴回り域の幅方向外側端部から前胴回り域の幅方向中央に向かって股下域側に突出する曲線形状である。第３伸縮部８３の幅方向中央部は、第３伸縮部の幅方向外側端部よりも長手方向内側に位置する。
【００２８】
なお、第１伸縮部８１、第２伸縮部８２及び第３伸縮部８３は、外装表面シート７１と外装裏面シート７２の間に固定されていなくてもよい。例えば、第１伸縮部８１、第２伸縮部８２及び第３伸縮部８３は、外装裏面シート７２よりも非肌当接面側に配置されてもよいし、外装表面シート７１よりも肌当接面側に配置されていてもよい。
【００２９】
第３伸縮部８３は、使い捨ておむつが着用者に装着された装着状態において、第１伸縮部８１及び第２伸縮部８２に連なって配置される。図１に示す展開状態では、第１伸縮部８１と第３伸縮部８３は、離れて配置され、かつ第２伸縮部８２と第３伸縮部８３は、離れて配置されている。しかし、図３に示すように、前外装体１ＢＦと後外装体１ＢＲとが接合された状態では、第１伸縮部８１と第３伸縮部８３は、連なっており、かつ第２伸縮部８２と第３伸縮部８３は、連なっている。
【００３０】
なお、第１伸縮部８１及び第２伸縮部８２と、第３伸縮部８３とが連なった状態とは、第１伸縮部８１の一部又は第２伸縮部８２の一部と第３伸縮部８３の一部が連なった状態を含む。また、使い捨ておむつ１０が着用者に装着された装着状態において、実質的に、第１伸縮部８１と第３伸縮部８３が連動し、かつ第２伸縮部８２と第３伸縮部８３が連動していればよく、第１伸縮部８１と第３伸縮部８３の間に隙間が設けられていてもよいし、第２伸縮部８２と第３伸縮部８３の間に隙間が設けられていてもよい。
【００３１】
第２伸縮部８２及び第３伸縮部８３は、吸収性コアに重なるように配置されている。なお、本実施の形態において、２つの部材が重なる状態とは、２つの部材が直接重なっている状態のみならず、２つの部材の間に他の部材が配置され、２つの部材が間接的に重なっている状態も含むものである。
【００３２】
第１伸縮部８１と第２伸縮部８２の間の中間領域Ｒ３の幅方向における伸縮応力は、第１伸縮部８１の幅方向における伸縮応力よりも低く、かつ第２伸縮部８２の幅方向における伸縮応力よりも低い。第１伸縮部８１及び第２伸縮部８２は、幅方向に伸縮可能に構成されている。一方、中間領域Ｒ３は、外装表面シート７１と外装裏面シート７２のみから構成され、幅方向に伸縮する伸縮性部材が配置されていない。よって、幅方向における伸縮性を有しない。中間領域Ｒ３には、幅方向に伸びる伸縮性部材が配置されてなく、第１伸縮部８１及び第２伸縮部８２には、幅方向に伸びる伸縮性部材が配置されているため、中間領域Ｒ３の剛性は、第１伸縮部８１の剛性よりも低く、かつ第２伸縮部８２の剛性よりも低い。
【００３３】
中間領域の長手方向における伸長率は、第１伸縮部の長手方向における伸長率よりも大きく、かつ第２伸縮部の長手方向における伸長率よりも大きい。換言すると、中間領域は、第１伸縮部よりも長手方向に伸びやすく、かつ第２伸縮部よりも長手方向に伸びやすい。
【００３４】
中間領域が第１伸縮部よりも長手方向に伸びやすく、かつ第２伸縮部よりも長手方向に伸びやすい構成としては、具体的には、中間領域の剛性が第１伸縮部等の剛性よりも低いことによって、当該中間領域が長手方向に伸びやすい構成や、中間領域を構成する外装シートが長手方向に伸縮性を有することによって、当該中間領域が長手方向に伸びやすい構成を例示できる。
【００３５】
脚回り開口部は、前外装体の後側端部と、後外装体の前側端部と、吸収性本体１Ａの幅方向外側端部と、によって囲まれている。脚回り開口部の伸縮応力は、第１伸縮部の伸縮応力よりも低く、かつ第２伸縮部の伸縮応力よりも低い。
【００３６】
具体的には、吸収コアよりも幅方向外側に前後方向に１対のレッグ弾性部材８が配置されている。各レッグ弾性部材８の伸縮応力は、第２伸縮部の伸縮応力よりも低いことが好ましい。更に好ましくは、各レッグ弾性部材８の伸縮応力は、第１伸縮部の伸縮応力よりも低いことが好ましい。それにより、着用者の脚を前後に動かす動きや、脚を持ち上げ、体をまるめる等の動きが加わったときに、レッグ弾性部材にかかる力に胴回りの第２伸縮部が耐えることができ、第２伸縮部のずれを抑制できる。第１伸縮部も同様に、着用者の脚を前後に動かす動きや、脚を持ち上げ、体をまるめる等の動きが加わったときに、レッグ弾性部材にかかる力に胴回りの第１伸縮部が耐えることができ、第１伸縮部のずれを抑制できる。
【００３７】
本実施の形態における伸縮応力は、次の方法によって測定できる。
島津製作所株式会社製のオートグラフ引っ張り試験機を用いて測定できる。対象のおむつを弾性部材の収縮による皺がない状態とし、弾性部材の伸縮方向に沿って、測定対象部位のサンプルから、おむつを構成するシートと共に弾性部材を切り出す。切り出す目安の寸法は、伸縮方向に沿って２００ｍｍの長さの測定部位とチャック掴み部位１０ｍｍ、伸縮方向と直交する方向は、対象の弾性部材から両側５ｍｍずつの範囲を採取する。（この時の伸縮方向に沿った測定部位寸法をR、直行する方向の寸法をWとする）
【００３８】
その後、サンプルが収縮した状態にて、20℃雰囲気下にて24時間静置した後、試験機のチャックにチャック掴み部位を挟み、測定部位が１７０ｍｍ（Rの８５％の寸法）となるまで伸長させ、その後、チャックを反転し、測定部位が１５０ｍｍ（Rの７５％の寸法）となるまで収縮した時の応力を測定し、サンプルの幅Wを考慮し、１０ｍｍ幅当たりの応力に換算した値を伸縮応力（N/１０ｍｍ）とする。なお、サンプルを切り出す際に伸縮方向に沿って２００ｍｍの長さを採取できない場合には、可能な長さRにて採取することもできるが、この場合、可能な限り長い長さにて採取することが好ましい。
【００３９】
（２）使い捨ておむつの装着態様
次いで、図３及び図４に基づいて、使い捨ておむつの装着状態について説明する。図３及び図４は、使い捨ておむつ１０を着用者に装着した状態を示す図である。図３及び図４は、着用者の左側側面から視認した状態を模式的に示している。図３は、着用者が脚を伸ばした状態であり、図４は、着用者が脚を腹側に引き寄せた状態である。
【００４０】
使い捨ておむつが着用者に装着された状態で、第１伸縮部８１は、腰回り開口部２１の近傍に配置されている。当該装着状態で、第２伸縮部８２は、第１伸縮部８１と間隔を空けて、第１伸縮部８１よりも股下側に配置されている。また、第１伸縮部８１と第２伸縮部８２の間の中間領域Ｒ３の伸縮応力は、第１伸縮部の伸縮応力よりも低く、かつ第２伸縮部８２の伸縮応力よりも低い。よって、第１伸縮部と第２伸縮部の間の中間領域Ｒ３は、第１伸縮部よりも身体に密着せず、かつ第２伸縮部よりも身体に密着しない。
【００４１】
また、第１伸縮部と第３伸縮部は、装着状態において連なっている。両方の伸縮部が幅方向に収縮することで、使い捨ておむつによって着用者の胴回りを囲んで保持でき、その保持状態を安定して維持される。
【００４２】
図４は、着用者が脚を腹側に寄せるように姿勢を変化した状態を示している。図３に示す姿勢から、図４に示すように脚を曲げると、身体の腰回りの位置は、ほとんど移動しないが、背側の脚の付け根が、股下域側に移動する。よって、乳幼児が脚を腹側に寄せると、臀部における上下方向の長さが長くなる。
【００４３】
よって、使い捨ておむつの後胴回り域が股下側に引っ張られ、第２伸縮部が股下側に引っ張られる。第１伸縮部８１と第２伸縮部８２の間の中間領域Ｒ３は、長手方向Ｌに伸び易く構成されているため、第２伸縮部が股下側に引っ張れると、中間領域Ｒ３が長手方向に伸びる。よって、第２伸縮部のみが股下側に移動し、第１伸縮部は、股下側にほぼ移動せずに、図４に示す状態となる。
【００４４】
（３）  作用・効果
使い捨ておむつの後胴回り域には、幅方向に伸縮する第１伸縮部８１と第２伸縮部８２が長手方向に間隔を空けて配置されている。この第１伸縮部８１と第２伸縮部８２が着用者の身体に密着する。また、当該第１伸縮部と第２伸縮部の間の領域の伸縮応力が比較的低く構成されている。よって、当該第１伸縮部と第２伸縮部の間の領域は、第１領域や第２領域と比較して着用者の身体に密着しない。
【００４５】
例えば、着用者が脚を曲げ伸ばし等で動くと、後胴回り域において股下域側に位置する第２伸縮部が股下側に引っ張られる。また、第２伸縮部の股下側への移動に伴って、該第１伸縮部と第２伸縮部の間の領域も股下側に引っ張られる。当該第１伸縮部と第２伸縮部の間の領域は、伸縮応力が比較的低く身体に密着していない。よって、着用者の身体の動きによって使い捨ておむつの後胴回り域に長手方向に引っ張られる力が掛かった際に、当該第１伸縮部と第２伸縮部の間の領域が緩衝領域となり、身体の動きによる皮膚の伸縮変化を吸収することができる。そのため、第１伸縮部が股下側にずれることを抑制できる。
【００４６】
特に、低月齢の新生児は、腰にくびれが少なく、当該新生児の身体は全体的に丸みを帯びている。腰にくびれがない着用者に装着した状態で、使い捨ておむつの後胴回り域が股下側に引っ張られると、使い捨ておむつの腰回り開口部２１が着用者の腰の括れに引っかからないため、使い捨ておむつ全体が股下側に引き下がるおそれがある。
【００４７】
しかし、本実施の形態に係る使い捨ておむつによれば、使い捨ておむつの後胴回り域が股下側に引っ張られると、中間領域が長手方向に伸び、かつ第２伸縮部が股下側に移動するため、第１伸縮部よりも上方の腰回り開口部の位置がほぼ移動しない。よって、低月齢の新生児においても、使い捨ておむつ全体が股下側に引き下がることを抑制できる。
【００４８】
一方、腰にくびれが形成された着用者においては、骨盤の上にぽっこり出た乳幼児に特有のお腹と、恥骨の膨らみと、の間の凹む部分に第３伸縮部が位置し、背中の腰のくびれに第１伸縮部が位置する。第１伸縮部と第３伸縮部は、接合部において連なっており、着用者の腰回りを１周覆うように配置されている。よって、第１伸縮部と第３伸縮部によって、使い捨ておむつを着用者に安定的に保持できる。
【００４９】
また、第２伸縮部８２は、装着状態において第３伸縮部８３と連なっている。よって、第２伸縮部が股下側にずれた場合に、第３伸縮部によって元の位置に引き上げることができる。
【００５０】
第１伸縮部８１と第３伸縮部８３は、装着状態において連なっている。両方の伸縮部が幅方向に収縮することで、使い捨ておむつによって着用者の胴回りを囲んで保持でき、その保持状態を安定して維持できる。
【００５１】
更に、第３伸縮部が、前胴回り域の幅方向外側端部から前胴回り域の幅方向中央に向かって股下域側に突出する曲線形状である。着用者の腹の膨らみは、脇側よりも幅方向における中央の方が大きい。第３伸縮部が、幅方向外側端部から幅方向中央に向かって股下域側に突出しているため、着用者の腹の膨らみの下方（股下側）に沿って第３伸縮部が配置され易くなり、腹の下部（股下側）に使い捨ておむつを密着できる。第３伸縮部が、前胴回り域の幅方向外側端部から前胴回り域の幅方向中央に向かって股下域側に突出する曲線形状であるため、おなかのより上方（おへそを超える）位置に前胴回り域を構成するシートが存在できる状態があり、よりおなかの部分のずれを抑制できる。
【００５２】
第３伸縮部は、着用者の中腹部と下腹部の境界に対応する位置であるため、腹の膨らみに沿って配置できる。使い捨ておむつを着用者の腹に沿って配置することにより、着用者が動いた際にも身体に沿って使い捨ておむつを配置でき、使い捨ておむつが引き下がる不具合や、使い捨ておむつがずれる不具合を抑制できる。また、乳幼児のお腹を覆った状態を維持する際に、過剰な伸縮抵抗で締め付けることがないため、着用者の内蔵への圧迫を抑制し、不快感を抑制できる。
【００５３】
脚回り開口部２２の伸縮応力は、第１伸縮部８１の伸縮応力よりも低く、かつ第２伸縮部８２の伸縮応力よりも低い。使い捨ておむつ１０は、脚回り開口部が過度に着用者に密着しないように構成されている。生後２ヶ月から５ヶ月の時期は、乳幼児にとって脚を動かせるように重要な時期である。このような時期に、着用者の脚繰りを圧迫し過ぎてしまうと、着用者が脚を上げにくくなり、好ましくない。ここでいう脚回り開口部２２の伸縮応力とは、脚回り開口部２２に沿って配置されるレッグ弾性部材８の伸縮応力であり、脚回り開口部に配置された第１伸縮部等の伸縮応力を考慮しないものとする。
【００５４】
本実施の形態の使い捨ておむつは、胴回り域の密着性を高め、脚回り開口部を過度に密着させずに、着用者の身体に保持されるため、脚回り開口部を過度に拘束することを抑制できる。よって、低月齢の乳幼児においても、好適に使用することができる。また、着用者の鼠蹊部は、リンパ線や神経、血管が多く存在する。脚回り開口部を過度に締め付けないことにより、当該鼠蹊部を圧迫し過ぎることを抑制できる。
【００５５】
更に、前胴回り域の第３伸縮部よりも腰回り開口部側の幅方向における伸縮応力は、第３伸縮部の幅方向における伸縮応力よりも低い。よって、前胴回り域の第３伸縮部よりも腰回り開口部側の領域は、過度に着用者に密着しないように構成されている。一般的に、乳幼児は、内蔵が骨盤内に収まっていないことが多く、腹部の圧迫によって血流量、心拍数、血中酸素飽和度等の生理値が悪化するおそれがある。本実施の形態の使い捨ておむつは、脚回り開口部を過度に締め付けないため、腹部を圧迫し過ぎることを抑制できる。
【００５６】
（４）変形例に係る使い捨ておむつ
次いで、変形例に係る使い捨ておむつについて説明する。なお、以下の変形例の説明においては、上述した実施形態に係る使い捨ておむつ１０と同一部分には同一の符号を付して、相違する部分を主として説明する。
【００５７】
図５は、変形例１から変形例７に係る使い捨ておむつの伸長状態の展開平面図である。変形例１に係る使い捨ておむつ１０Ａは、テープタイプの使い捨ておむつである。
【００５８】
変形例１に係る使い捨ておむつ１０Ａは、後胴回り部に外装体１Ｂよりも幅方向外側に延出するファスニングテープ９０が設けられている。使い捨ておむつ１０Ａを着用者に装着する際は、使い捨ておむつの股下部を着用者の股間部に当てた状態で、後胴回り部のファスニングテープを前胴回り部に引き寄せ、当該ファスニングテープを前胴回り部に止着する。
【００５９】
ファスニングテープを基準位置で止着して、使い捨ておむつ１０Ａを着用者に装着した状態において、第１伸縮部と第３伸縮部は連なり、第２伸縮部と第３伸縮部は連なる。第１伸縮部等と第３伸縮部は連なる状態は、第１伸縮部等と第３伸縮部が幅方向に連続する状態である。また、ファスニングテープの基準位置とは、着用者の腹部上において、左側に位置するファスニングテープの幅方向外側端部と右側に位置するファスニングテープの幅方向外側端部とが幅方向において隣接する位置である。
【００６０】
使い捨ておむつの吸収性コアが配置された吸収性コア配置領域には、吸収性コアが製品厚み方向Ｔに曲がることができるように形成された曲部が形成されている。曲部は、吸収体において吸収性コアが配置されていない低目付部４１によって構成されている。低目付部４１は、吸収性コア配置領域における低目付部以外の領域よりも剛性が低い部分である。吸収性コアは、低目付部を変形基点として曲がり易く構成されている。
【００６１】
なお、曲部は、吸収性コアが厚み方向に曲がる変形基点となる構成であればよく、吸収性コアに形成された切欠き、吸収性コアを厚み方向において圧搾した圧搾部、吸収性コアにおいて周囲の吸収性コアと目付が異なる目付境界部、吸収性コアにおいて周囲の吸収性コアと厚みが異なる厚み境界部、吸収性コアにおいて周囲の吸収性コアと密度が異なる密度境界部、及び幅方向に伸縮する伸縮部のうち、少なくともいずれかを含んで構成される。
【００６２】
低目付部４１は、前胴回り域の幅方向外側端部から前胴回り域の幅方向中央に向かって股下域側に突出する曲線形状である。低目付部４１の幅方向中央部は、低目付部４１の幅方向外側端部よりも長手方向内側に位置する。
【００６３】
第３伸縮部の一部は、曲部である低目付部４１に重なるように配置されている。使い捨ておむつの伸長状態における展開平面において、低目付部４１は、第３伸縮部８３に沿って配置されている。なお、展開平面視において、低目付部４１の全体が、第３伸縮部８３に沿っているが、低目付部４１の少なくとも一部が第３伸縮部８３に沿っていればよい。なお、第３伸縮部８３が低目付部４１に沿って配置されている状態とは、第３伸縮部８３と低目付部４１と平行に配置された状態のみならず、低目付部４１が延びる方向（製品幅方向）に沿って配置された状態も含んでおり、低目付部４１と第３伸縮部８３とが平行でない状態も含むものである。
【００６４】
装着状態において、第３伸縮部８３は、着用者の中腹部と下腹部の境界に配置される。また、曲部としての低目付部４１が形成されているため、前胴回り域の吸収性コアが幅方向に沿って厚み方向に曲がる。更に、低目付部に重なって第３伸縮部８３が配置されているため、低目付部が身体に密着する。
【００６５】
一般的に、乳幼児は、腹まわりが張り出しており、乳幼児の下腹部よりも上方（ウエスト側）の中腹部は、下腹部よりも膨らんでおり、中腹部と下腹部との境界は、凹んでいる。使い捨ておむつが着用者に装着された状態で、曲部である低目付部４１は、着用者の中腹部と下腹部の境界に対応して配置され、第３伸縮部８３によって身体に密着される。よって使い捨ておむつを着用者の下腹部と中腹部との境界にフィットさせることができ、腹の膨らみに沿って配置できる。
【００６６】
また、低目付部４１は、幅方向外側端部から幅方向中央に向かって股下域側に突出した曲線形状である。着用者の腹の膨らみは、脇側よりも幅方向における中央の方が大きい。よって、使い捨ておむつの幅方向中央が当接する部位は、使い捨ておむつの幅方向外側端部が当接する部位よりも、非肌当接面側に立ち上げる領域が広いことが望ましい。
【００６７】
低目付部４１が幅方向外側端部から幅方向中央に向かって股下域側に突出しているため、幅方向中央における吸収性コアの変形基点が股下側に位置し、幅方向中央における非肌当接面側に立ち上げる領域が広くなる。よって、低目付部４１よりも長手方向外側の領域を立体的に立ち上げて、腹部を覆うカップ形状を形成できる。
【００６８】
なお、低目付部４１の平面視の形状は、曲線形状であってもよいし、幅方向に延びる直線形状であってもよい。
【００６９】
変形例２に係る使い捨ておむつ１０Ｂは、実施の形態の使い捨ておむつに対して第２伸縮部の形状が異なっている。変形例２に係る使い捨ておむつの第２伸縮部８２は、第１伸縮部と同様に、後胴回り域の幅方向外側端部から後胴回り域の幅方向中央に向かって長手方向外側に突出する曲線形状である。第２伸縮部の幅方向中央部は、第２伸縮部の幅方向外側端部よりも長手方向外側に位置する。第１伸縮部と第２伸縮部は、図５に示す平面視において平行に配置されている。変形例２に係る使い捨ておむつ１０Ｂによれば、着用者の臀部の形状に、第２伸縮部も沿うことができる。その結果、第２伸縮部がよりずれ難くなる。
【００７０】
変形例３に係る使い捨ておむつ１０Ｃは、実施の形態の使い捨ておむつに対して第２伸縮部の形状が異なっている。変形例３に係る使い捨ておむつの第２伸縮部８２は、後胴回り域の幅方向外側端部から後胴回り域の幅方向中央に向かって長手方向内側に突出する曲線形状である。第２伸縮部の幅方向中央部は、第２伸縮部の幅方向外側端部よりも長手方向内側に位置する。変形例３に係る使い捨ておむつ１０Ｃによれば、中間領域をより広く形成できるので、緩衝できる範囲が増える。よって、動きによる肌の縦伸びをより緩和でき、その結果、更にずれ難い状態とできる。
【００７１】
また、変形例３に係る使い捨ておむつ１０Ｃの第１伸縮部と第２伸縮部は、接合部となる後胴回り域の幅方向外側端部において重なっている。
置されている。
【００７２】
変形例４に係る使い捨ておむつ１０Ｄは、実施の形態の使い捨ておむつに対して第１伸縮部８１の形状及び第２伸縮部８２の形状が異なっている。変形例４に係る使い捨ておむつの第１伸縮部８１は、幅方向に沿った直線状である。変形例４に係る使い捨ておむつの第２伸縮部８２は、後胴回り域の幅方向外側端部から後胴回り域の幅方向中央に向かって長手方向内側に突出する曲線形状である。第２伸縮部の幅方向中央部は、第２伸縮部の幅方向外側端部よりも長手方向内側に位置する。
【００７３】
変形例５に係る使い捨ておむつ１０Ｅは、実施の形態の使い捨ておむつに対して第１伸縮部８１の形状が異なっている。変形例５に係る使い捨ておむつの第１伸縮部８１は、幅方向に沿った直線状である。また、第１伸縮部は、後外装体１ＢＲの後側端部に配置されている。
【００７４】
変形例６に係る使い捨ておむつ１０Ｆは、実施の形態の使い捨ておむつに対して前胴回り域の構成が異なっている。変形例６に係る使い捨ておむつの前胴回り域には、少なくとも幅方向に伸縮する第４伸縮部８４が設けられている。
第４伸縮部８４は、第３伸縮部８３よりも股下側に配置されている。第４伸縮部８４は、幅方向に沿った直線状である。第３伸縮部と第４伸縮部は、長手方向において隣接している。
【００７５】
変形例７に係る使い捨ておむつ１０Ｇは、実施の形態の使い捨ておむつに対して前胴回り域の構成が異なっている。変形例７に係る前胴回り域の外装表面シート及び外装裏面シートの少なくともいずれか一方は、伸縮性を有するシート材である。よって、前胴回り域全体が胴回り方向（幅方向）に伸縮性を有する。当該伸縮性を有するシート材の単位幅（10mm幅当たり）の伸縮応力は、第３伸縮部の伸縮応力よりも低い。
【００７６】
変形例７に係る使い捨ておむつ１０Ｇは、伸縮性を有するシート材によって腹側全体を構成していてもよいし、伸縮性を有するシート材によって背側全体を構成していてもよいし、腹側全体と背側全体とをともに伸縮性を有するシート材によって構成してもよい。例えば、伸縮性を有するシート材によって腹側全体を構成することにより、腹側全体を面状に適度に着用者に押し当てつつ、第１伸縮部、第２伸縮部及び第３伸縮部によるずれ難さを実現できる。
【００７７】
また、他の変形例として、吸収体４の幅方向の長さが変化していてもよい。より詳細には、吸収体の前側端部の幅方向の長さが、吸収体の長手方向中央における幅方向の長さよりも長く、かつ吸収体の後側端部の幅方向の長さよりも長く構成されていてもよい。
【００７８】
例えば、吸収体の前側端部の幅方向の長さが、吸収体の長手方向中央における幅方向の長さよりも長いことにより、第１伸縮部、第２伸縮部、及び第３伸縮部の内、特に第３伸縮部により、比較的剛性の高い吸収体にてカップ形状を作り易くし、その結果、本発明の狙いの腹側を広く覆い、ずれを抑制する効果を得ることができる。更に、吸収体の後側端部の幅方向の長さを吸収体の前側端部の幅方向の長さよりも相対的に短くすることで、腹側の吸収容量を大きくし、ずれが抑制された腹側域で確実にもれを防ぐことが可能となる。
【００７９】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【符号の説明】
【００８０】
１０、１０Ａ、１０Ｂ、１０Ｃ、１０Ｄ、１０Ｅ、１０Ｆ、１０Ｇ  ：使い捨ておむつ
１Ａ      ：吸収性本体
１Ｂ      ：外装体
１ＢＦ    ：前外装体
１ＢＲ    ：後外装体
２        ：表面シート
３        ：裏面シート
４        ：吸収体
５        ：前胴回り縁部
６        ：後胴回り縁部
７        ：接合部
８        ：レッグ弾性部材
２１      ：腰回り開口部
２２      ：脚回り開口部
７１      ：外装表面シート
７２      ：外装裏面シート
８１      ：第１伸縮部
８２      ：第２伸縮部
８３      ：第３伸縮部
９０      ：ファスニングテープ
Ｓ１      ：前胴回り域
Ｓ２      ：後胴回り域
Ｓ３      ：股下域
Ｌ        ：長手方向
Ｗ        ：幅方向
Ｔ        ：厚み方向
【図１】
2015202246.tif 000003
【図２】
2015202246.tif 000004
【図３】
2015202246.tif 000005
【図４】
2015202246.tif 000006
【図５】
2015202246.tif 000007